(57)【要約】【課題】蓋カバーの蓋本体との爪の係合による係止部を有する外周まで透明性を生かし、特別な部材や組立て工数を必要とせず係止部が外観されず質感、美観がよいものとする。【解決手段】有底円筒形に形成された回転ドラム２を水平または傾斜して水槽３内に設置し、開閉蓋５を開いて洗濯物を回転ドラム２に収容しモータ６で回転ドラムを駆動することにより洗濯、すすぎ、脱水が行えるドラム式洗濯機で、開閉蓋５は、洗濯物を外部から透視する窓７を有した蓋本体８、蓋本体８の透明な蓋カバー９からなり、蓋カバー９の外周部裏面に後方に突出する複数の係合片９ａを一体形成し、蓋本体８に係合片９ａを受け入れ、それを係止部８ａに弾性係合させて蓋カバー９を蓋本体８への当てがい状態に係止する係止孔８ｂを設け、蓋カバー９の少なくとも係止孔８ｂにほぼ対応する範囲の表面９ｂは、内側からの光を屈折分散させて透過させる表面形状を有したものとする。【選択図】図３
2010063522.tif 000002
【特許請求の範囲】
【請求項１】
有底円筒形に形成された回転ドラムを、開口する正面側から底部となる背面側に向けて回転軸方向が水平または水平方向から下向き傾斜となるようにして水槽内に設置し、洗濯機筐体の前部に設けた開閉蓋を開いて洗濯物を回転ドラムに収容しモータで回転ドラムを駆動することにより洗濯工程、すすぎ工程、脱水工程の少なくとも１つが行えるドラム式洗濯機において、前記開閉蓋は、前記回転ドラム内部を外部から可視する第１の窓を有した蓋本体と、前記蓋本体の前面に当てがわれ覆う透明な蓋カバーと、前記蓋本体と前記蓋カバーの間に位置し前記第１窓と略同一形状の第２の窓を有した化粧板とにより構成し、前記蓋カバーは、外周部裏面に後方に突出する複数の第１の係合片を一体形成し、前記化粧板は、外周部裏面に後方に突出する複数の第２の係合片を一体形成し、前記蓋本体には、前記第１の係合片を受け入れ、かつ受け入れた前記第１の係合片を内面に設けた第１の係止部に弾性係合させて抜け止めし前記蓋カバーを蓋本体への当てがい状態に固定する第１の係止孔と、前記第２の係合片を受け入れ、かつ受け入れた前記第２の係合片を内面に設けた第２の係止部に弾性係合させて抜け止めし前記化粧板を蓋本体への当てがい状態に固定する第２の係止孔とを設け、前記蓋カバーの表面には、少なくとも前記第１の係止孔に対応する範囲に内側からの光を屈折分散させて透過させる表面形状を形成したことを特徴とするドラム式洗濯機。
【請求項２】
蓋本体は、外周縁に外周方向に張り出す張りだし壁を形成し、前記張りだし壁の先端部に凸リブを形成することで凹状の溝部と、前記溝部に第１の係止孔と第２の係止孔とを前後に貫通するように形成し、蓋カバーは、前記蓋本体の外周面にまで回り込み先端面が前記凸リブの先端面に当接するとともに前記凹状の溝部に入り込む第１の回り込み周壁と、前記第１の回り込み周壁の先端面に前記第１の係止孔の対応位置に第１の係合片とを一体形成し、化粧板は、前記第１の回り込み周壁の内方に位置し前記凹状の溝部に入り込む第２の回り込み周壁と、前記第２の回り込み周壁の先端面に前記第２の係止孔の対応位置に第２の係合片とを一体形成したことを特徴とする請求項１記載のドラム式洗濯機。
【請求項３】
第１の係止孔と第１の係止片との固定は、第１の係合片に設けた第１の係合孔または第１の係合フックと、これに弾性系係合するように、前記第１の係止孔の内周に設けた第１の爪状部または前記第１の係止孔の後方開口縁のいずれか１つとで構成し、第２の係止孔と第２の係止片との固定は、第２の係合片に設けた第２の係合孔または第２の係合フックと、これに弾性系係合するように、前記第２の係止孔の内周に設けた第２の爪状部または前記第２の係止孔の後方開口縁のいずれか１つとで構成してあることを特徴とする請求項１または２に記載のドラム式洗濯機。
【請求項４】
第１の係止孔と第２の係止孔は、周方向に互いに異なる位置に設けていることを特徴とする請求項３記載のドラム式洗濯機。
【請求項５】
開閉蓋は、化粧板を組み込むことなく、蓋本体と蓋カバーとにより構成し、内側からの光を屈折分散させて透過させる表面形状は、少なくとも第１の係止孔および第２の係止孔の両方に対応する範囲に形成したことを特徴とする請求項１〜４のいずれか１項に記載のドラム式洗濯機。
【請求項６】
内側からの光を屈折分散させて透過させる表面形状は、径方向に屈曲した１つの環状あるいは円弧状の屈曲凸面、径方向に連続して屈曲した環状あるいは円弧状の屈曲波形面、連続した屈曲形状で四方に広がる凹凸面の１つであることを特徴とする請求項１〜５のいずれか１項に記載のドラム式洗濯機。
【発明の詳細な説明】
【技術分野】
【０００１】
本発明は、有底円筒形に形成された回転ドラムを、開口する正面側から底部となる背面側に向けて回転軸方向が水平または水平方向から下向き傾斜となるようにして水槽内に設置し、洗濯機筐体の前部に設けた開閉蓋を開いて洗濯物を回転ドラムに収容しモータで回転ドラムを駆動することにより洗濯工程、すすぎ工程、脱水工程の少なくとも１つが行えるドラム式洗濯機に関するものである。
【背景技術】
【０００２】
このようなドラム式洗濯機で、開閉蓋が、洗濯物を外部から透視する窓を有した蓋本体と、この蓋本体の前面に当てがわれて覆う透明な蓋カバーとから構成したものが一般的である（例えば、特許文献１参照）。特許文献１は図６に蓋枠の前面を外周部近くまで覆う透明カバーを開示し、図２〜図５に、図６の構造では蓋枠に透明な蓋カバーを弾性係止して固定する爪の嵌め合い部が正面から見えてしまい美観を損うことにつき、透明な蓋カバーの外周部表面に不透明な化粧板を嵌め付けて美観を高める構造を開示している。
【特許文献１】特開２００７−６８８１０号公報
【発明の開示】
【発明が解決しようとする課題】
【０００３】
しかし、特許文献１に記載された化粧板を設ける場合、部品点数、組み立て工数の増大となって、製品コストの上昇を招く。また、蓋カバーの透明性は蓋本体の窓を通じた洗濯物を外部から視認する範囲外では必須とならないものの、化粧板によって蓋カバーの折角の透明性を周辺部で損うのでは開閉蓋全体の質感、美観を損うことが、特許文献１の図６に示す関連製品と同図２〜５に示す関連製品とを比較して知見した。
【０００４】
さらに、使用者の価値観の多様化により、蓋全体の質感をさらに向上させた製品と、低価格の製品との両方が必要になる場合、透明の蓋カバーを通して見える蓋本体表面に、たとえば塗装処理などをした第２の化粧板を設けた製品と、設けない製品とが必要になる。しかし、この第２の化粧板を、蓋本体に着脱自在に保持する構造、たとえば係止孔などを蓋本体に設けると、第２の化粧板を設けない製品では、透明の蓋カバーを通して、係止孔が見えてしまい、美観を損ねることがあった。
【０００５】
本発明の目的は、蓋カバーの蓋本体との弾性係合による固定部を有する外周まで透明性を生かして、しかも、特別な部材や組み立て工数を必要とせずに固定部が外観されず質感、美観のよいドラム式洗濯機を提供することにある。
【課題を解決するための手段】
【０００６】
上記目的を達成するために本発明に係るドラム式洗濯機は、有底円筒形に形成された回転ドラムを、開口する正面側から底部となる背面側に向けて回転軸方向が水平または水平方向から下向き傾斜となるようにして水槽内に設置し、洗濯機筐体の前部に設けた開閉蓋を開いて洗濯物を回転ドラムに収容しモータで回転ドラムを駆動することにより洗濯工程、すすぎ工程、脱水工程の少なくとも１つが行えるドラム式洗濯機において、前記開閉蓋は、前記回転ドラム内部を外部から可視する第１の窓を有した蓋本体と、前記蓋本体の前面に当てがわれ覆う透明な蓋カバーと、前記蓋本体と前記蓋カバーの間に位置し前記第１窓と略同一形状の第２の窓を有した化粧板とにより構成し、前記蓋カバーは、外周部裏面に後方に突出する複数の第１の係合片を一体形成し、前記化粧板は、外周部裏面に後方に突出する複数の第２の係合片を一体形成し、前記蓋本体には、前記第１の係合片を受け入れ、かつ受け入れた前記第１の係合片を内面に設けた第１の係止部に弾性係合させて抜け
止めし前記蓋カバーを蓋本体への当てがい状態に固定する第１の係止孔と、前記第２の係合片を受け入れ、かつ受け入れた前記第２の係合片を内面に設けた第２の係止部に弾性係合させて抜け止めし前記化粧板を蓋本体への当てがい状態に固定する第２の係止孔とを設け、前記蓋カバーの表面には、少なくとも前記第１の係止孔に対応する範囲に内側からの光を屈折分散させて透過させる表面形状を形成したことを特徴としている。
【０００７】
このような構成では、開閉蓋は洗濯物を回転ドラムに収容した後に閉じることにより、回転ドラムを回転させることで洗濯工程、すすぎ工程、脱水工程の少なくとも１つを行うのに、洗浄水、すすぎ水、脱水の飛沫などを外部に漏れ出るのを阻止しながら、透明な蓋カバーおよび窓を通して洗濯物の状態を外部から観察しながら遂行させられる。この透明な蓋カバーを蓋本体の前面に当てがい、その外周部裏面の後方に突出した係合片を蓋本体の対応位置にある係止孔の係止部に弾性係合させて固定するのに、蓋カバーの少なくとも前記固定部にほぼ対応する範囲が透明なままでも、その表面が内側からの光を屈折分散させて透過させる表面形状であることにより、固定部からの反射光が蓋カバー表面を透過する際に屈折分散させて、特別な部材や組み立て工数なしに固定部の映像が人の目に結像しないようにする上、内側からの光を屈折分散させる表面にて、梨地などと称される微細なシボ加工面のような乱反射で透明性を損い、また固定部の影を映し出してしまうようなことのない凹凸模様を呈する。
【０００８】
また、蓋本体と蓋カバーとの間に化粧板を配置できるので、蓋本体表面の美観を自在に向上させることができる上、透明な蓋カバーを通して化粧板が見えることにより、光沢感、奥行き感を自在に表現でき、蓋全体の美観を容易に向上させることができる。
【０００９】
上記において、さらに、蓋本体は、外周縁に外周方向に張り出す張りだし壁を形成し、前記張りだし壁の先端部に凸リブを形成することで凹状の溝部と、前記溝部に第１の係止孔と第２の係止孔とを前後に貫通するように形成し、蓋カバーは、前記蓋本体の外周面にまで回り込み先端面が前記凸リブの先端面に当接するとともに前記凹状の溝部に入り込む第１の回り込み周壁と、前記第１の回り込み周壁の先端面に前記第１の係止孔の対応位置に第１の係合片とを一体形成し、化粧板は、前記第１の回り込み周壁の内方に位置し前記凹状の溝部に入り込む第２の回り込み周壁と、前記第２の回り込み周壁の先端面に前記第２の係止孔の対応位置に第２の係合片とを一体形成したことを特徴とすることができる。
【００１０】
このような構成では、上記に加え、さらに、蓋カバーが蓋本体の外周にまで回り込んで覆うので、洗濯機筐体の前方斜め側方からや、前方斜め上方から及ぶ視線によって外観される外周まわりを含む広範囲まで一様な透明壁域を拡張することができる。
【００１１】
また、化粧板で蓋本体の外周近傍まで覆うことができるので、蓋全体の美観を容易に向上できる。
【００１２】
また、蓋カバーを蓋本体に保持する第一の係止孔と、化粧板を蓋本体に保持する第２の係止孔とを、蓋全体の周囲から見る視線を、凸リブにより遮蔽することができるので、これらの係止孔を見えにくくすることができ、蓋全体の美観を容易に向上することができる。
【００１３】
上記において、さらに、第１の係止孔と第１の係止片との固定は、第１の係合片に設けた第１の係合孔または第１の係合フックと、これに弾性系係合するように、前記第１の係止孔の内周に設けた第１の爪状部または前記第１の係止孔の後方開口縁のいずれか１つとで構成し、第２の係止孔と第２の係止片との固定は、第２の係合片に設けた第２の係合孔または第２の係合フックと、これに弾性系係合するように、前記第２の係止孔の内周に設けた第２の爪状部または前記第２の係止孔の後方開口縁のいずれか１つとで構成してある
ことを特徴として、蓋カバーの蓋本体への弾性係合による固定、および化粧板の蓋本体への弾性係合による固定が実現する。
【００１４】
上記において、さらに、第１の係止孔と第２の係止孔は、周方向に互いに異なる位置に設けていることを特徴として、第１の係止孔と第２の係止孔を、周方向に均等に配置することができ、それぞれの係止部に外力がかかった場合でも、蓋カバー、および化粧板が蓋本体から浮き上がりにくく、弾性係合による固定が実現する。
【００１５】
上記において、さらに、開閉蓋は、化粧板を組み込むことなく、蓋本体と蓋カバーとにより構成し、内側からの光を屈折分散させて透過させる表面形状は、少なくとも第１の係止孔および第２の係止孔の両方に対応する範囲に形成したことを特徴とすることができる。
【００１６】
このような構成では、上記に加え、さらに、使用者の価値観の多様化により、蓋全体の質感をさらに向上させた製品と、低価格の製品との両方が必要になる場合、透明の蓋カバーを通して見える蓋本体表面に、化粧板を設けた製品と、設けない製品とを、蓋全体の美観を損なうことなく、容易に実現できる。
【００１７】
上記において、さらに、内側からの光を屈折分散させて透過させる表面形状は、径方向に屈曲した１つの環状あるいは円弧状の屈曲凸面、径方向に連続して屈曲した環状あるいは円弧状の屈曲波形面、連続した屈曲形状で四方に広がる凹凸面の１つであることを特徴として、透明性を損わない凹凸模様による前記係止部の外観防止が実現する。
【発明の効果】
【００１８】
本発明によれば、開閉蓋によって閉じた状態で洗浄水、すすぎ水、脱水の飛沫などを外部に漏れ出るのを阻止しながら、透明な蓋カバーおよび窓を通して洗濯物の状態を外部から観察しながら遂行させるが、この透明な蓋カバーを蓋本体の前面に当てがい蓋本体との弾性係合させて固定するのに、蓋カバーの少なくとも前記係止部にほぼ対応する範囲が透明なままで、その表面形状によって透過する係止部からの反射光を屈折分散させて、透明性、透明感を損わないで、従って透明域を狭めずに高めながら外観されない質感のよいものとすることができるし、そのために特別な部材や組み立て工数が不要であってコスト上昇の原因にはならない。しかも、微細なシボ加工面のような乱反射で透明性を損い、また係止部の影を外部に映し出してしまうようなことのない凹凸模様を呈してデザイン効果も発揮できる。
【００１９】
さらに、蓋カバーと蓋本体との間に設けた化粧板により、蓋本体表面の美観を自在に向上させることができる上、透明な蓋カバーを通して化粧板が見えることにより、光沢感、奥行き感を自在に表現でき、蓋全体の美観を容易に向上させることができる。
【００２０】
さらに使用者の価値観の多様化により、蓋全体の質感をさらに向上させた製品と、低価格の製品との両方が必要になる場合、透明の蓋カバーを通して見える蓋本体表面に、化粧板を設けた製品と、設けない製品とを、蓋全体の美観を損なうことなく、容易に実現できる。
【発明を実施するための最良の形態】
【００２１】
以下本発明の実施の形態に係るドラム式洗濯機につき図１〜図７を参照しながら説明し、本発明の理解に供する。なお、以下の説明は本発明の具体例であって、特許請求の範囲の記載の内容を限定するものではない。
【００２２】
（実施の形態１）
図１、図２に示す本実施の形態のドラム式洗濯機１は、図２に示すように、有底円筒形に形成された回転ドラム２を、開口する正面側から底部となる背面側に向けて回転軸方向が水平または水平方向から下向き傾斜となるようにして水槽３内に設置し、洗濯機筐体４の前部に設けた開閉蓋５を開いて洗濯物を回転ドラム２に収容しモータ６で回転ドラム２を駆動することにより洗濯工程、すすぎ工程、脱水工程の少なくとも１つが行える。
【００２３】
開閉蓋５は図１〜図３に示すように、洗濯物を外部から透視する窓７を有した蓋本体８と、この蓋本体８の前面に当てがわれた透明な蓋カバー９と、蓋カバー９と蓋本体８との間に配置した化粧板１０９とからなっている。この蓋カバー９の外周部裏面には図３、図４に示すように、後方に突出する複数の係合片９ａを一体形成している。これに対応して、蓋本体８には図３〜図５に示すように、係合片９ａを図３に示すように受け入れ、かつ受け入れた係合片９ａを係止部８ａに弾性係合させて抜け止めし蓋カバー９を蓋本体８への当てがい状態に係止し固定する係止孔８ｂを設けてある。これによって、蓋カバー９は、蓋本体８に対しその前面側から当てがい覆った状態に固定される。蓋カバー９の一部には位置決め突起４１を設け、蓋本体８の位置決め穴４２に嵌合する。位置決め突起４１は、唯一係止穴８ｂを持たない。
【００２４】
このような蓋カバー９の固定構造において、蓋カバー９の透明性を損わないで前記係合片９ａと係止孔８ｂとによる固定部１１と位置決め突起４１とが外観されないようにするため、本実施の形態では、前記蓋カバー９の少なくとも前記固定部１１にほぼ対応する範囲の表面９ｂは、内側からの光を屈折分散させて透過させる図３に実線および仮想線で代表して示す各例のような表面形状を有したものとしている。このように、透明な蓋カバー９を蓋本体８の前面に当てがい、その外周部裏面の後方に突出した係合片９ａを蓋本体８の対応位置にある係止孔８ｂの係止部８ａに弾性係合させて固定するのに、蓋カバー９の少なくとも前記係止孔８ｂ、固定部１１にほぼ対応する範囲が透明なままでも、その表面９ｂが内側からの光を屈折分散させて透過させる表面形状であることにより、固定部１１の係止部８ａ、係止孔８ｂ、係合片９ａなどからの反射光が蓋カバー９の表面９ｂを透過する際に図３に実線の矢印、仮想線の矢印で示すように屈折分散させて、特別な部材や組み立て工数なしに係止部の映像が人の目に結像しないようにする上、内側からの光を屈折分散させる表面９ｂにて、微細なシボ加工面のような乱反射で透明性を損い、また係止部の影を映し出してしまうようなことのない凹凸模様を呈する。
【００２５】
この結果、開閉蓋５によって閉じた状態で洗浄水、すすぎ水、脱水の飛沫などを外部に漏れ出るのを阻止しながら、透明な蓋カバー９および窓７を通して洗濯物の状態を外部から観察しながら遂行させるが、透明な蓋カバー９を蓋本体８の前面に当てがい蓋本体８との固定部１１での弾性係合を図って固定するのに、蓋カバー９の少なくとも前記固定部１１にほぼ対応する範囲が透明なままで、その表面９ｂの表面形状によって透過する固定部１１からの反射光を屈折分散させて、透明性、透明感を損わないで、従って透明域を狭めず高めながら外観されない質感のよいものとすることができるし、そのために特別な部材や組み立て工数が不要であってコスト上昇の原因にはならない。しかも、微細なシボ加工面のような乱反射で透明性を損い、また固定部１１の影を外部映し出してしまうようなことのない凹凸模様を呈してデザイン効果も発揮できる。
【００２６】
また、蓋カバー９は主として合成樹脂製で図３に示すように、蓋本体８の外周面にまで回り込む回り込み周壁９ｃを有して覆い、この回り込み周壁９ｃの端面９ｄに前記係合片９ａを一体形成し、蓋本体８の外周に前記端面９ｄに対面する段差面８ｃを有して蓋本８の外周に張り出す凸リブ８ｄ、および、張りだし壁８ｅを一体形成し、凹状の溝部８ｆを構成している。この張りだし壁８ｅに前記係止孔８ｂを前後に貫通するように形成している。これにより、透明な蓋カバー９が蓋本体８の外周にまで回り込んで覆うので、洗濯機筐体４の前方斜め側方からや、前方斜め上方から及ぶ視線によって外観される外周まわり
を含む広範囲まで一様な透明壁域を拡張することができ、外観の質感が向上する。
【００２７】
また、固定部１１は、係合片９ａに設けた図示するような係合孔９ｅまたは係合フックと、これに弾性系係合するように、図示する係止孔８ｂの内周に設けた逆止爪８ａ、係止孔８ａの後方開口縁の１つとで構成して、蓋カバー９の蓋本体８への弾性係合による固定が実現する。
【００２８】
さらに、蓋本体８は、窓７を形成するように最中合わせにして蓋枠２０を構成する合成樹脂製の表枠２１および裏枠２２と、これら表、裏枠２１、２２間に挟み込んだ合成樹脂製の透明な窓板２３とからなり、前記凸リブ８ｄは表枠２１に設け、蓋カバー９はその回り込み壁９ｃの外周面が凸リブ２２の外周面とほぼ連続した面をなし、裏枠２２は、その前端に外向きフランジ２２ａを有して表枠２１に合わされ、このフランジ２２ａが凸リブ８ｄの後端部内側の段部２１ａに嵌り合っている。これにより、蓋枠２０は、蓋カバー９を弾性係合した表枠２１を１つの部材として取り扱って、窓板２３を挟み込んでの裏枠２２との最中合わせした結合を図るか、窓板２３を挟み込んで表、裏枠２１、２２を最中合わせに結合した１つの部材として取り扱って表枠２１に蓋カバー９を当てがい弾性係合して固定するかでき、しかも、蓋カバー９はその回り込み壁９ｃの外周面が凸リブ８ｄの外周面とほぼ連続した面をなしているので、外面が広域に、また立体域を含んでシンプル化する。また、裏枠２２はその前端に外向きフランジ２２ａを有して表枠２１に合わされ、このフランジ２２ａが凸リブ８ｄの後端部内側の段部２２ｂに嵌り合っているので、裏枠２２の側周壁は蓋カバー９および表枠２１の外周面から内側に位置するので、閉じ状態で外観される範囲の厚み感を軽減できる。
【００２９】
また、蓋カバー９の少なくとも前記固定部１１にほぼ対応する範囲で、内側からの光を屈折分散させて透過させるようにする表面９ｂは、図３に仮想線で示すような径方向に屈曲した１つの環状あるいは円弧状の屈曲凸面、あるいは図３に実線で示すような径方向に連続して屈曲した環状あるいは円弧状の屈曲波形面、連続した屈曲形状で四方に広がる凹凸面の１つであればよく、透明性を損わない凹凸模様による前記係止部の外観防止が実現する。透明性を損わないことについては、梨地化しないことを要件とし、連続した屈曲形状で四方に広がる凹凸面はローレットなどと称される刻み模様程度の以上の粗さを持つ必要がある。
【００３０】
さらに詳述すると、図１、図２に示すように、洗濯機筐体４の前面側上部には上向き傾斜面４ａが形成され、この傾斜面４ａに洗濯物を出し入れする円形の出し入れ口３１が形成されている。開閉蓋５はこの出し入れ口３１を開閉できるように洗濯機筐体４の出入り口３１にヒンジ連結して（図示せず）設けられ、出入り口３１と共に円形をなしている。開閉蓋５は、蓋枠２１の表枠２１がポリプロピレンで成形され、裏枠２２がさらに耐薬品性が高いポリプロピレンで成形され、窓板２３がガラスで成形され、蓋カバー９は透明なＡＢＳで成形されたものとしている。さらに、位置決め突起４１により、蓋カバー９を蓋本体８に取り付ける際、容易に識別できるので、取り付け方向を間違えずに容易に取り付けることができる上、作業中に透明の蓋カバー９のとり回しによりキズをつけるようなこともなく有利である。
【００３１】
図５〜図７では、化粧板１０９を凹状の溝部８ｅに保持する、第２の係止部１０８ａを第２の係止孔１０８ｂに配置している。図７には化粧板１０９の周囲に一体形成した第２の係合片１０９ａを設けている。係合片１０９ａには、表枠の第２の係止部１０８ａと弾性係合する、第２の係合孔１０９ｅを設けている。取り付け構造の詳細、および効果は、蓋カバー９とほぼ同一のため、詳細の説明は省略する。
【００３２】
この構成では凹状の溝部８ｅに、第１の係止孔８ｂと第２の係止孔１０８ｂとを、周方
向に交互になるように配置している。蓋全体は、使用者が洗濯物を出し入れするときに、容易に手が触れるが、このように、第１の係止孔８ｂと第２の係止孔１０８ｂとを交互に配置することにより、蓋カバー９、化粧板１０９の弾性係合を周方向に均等に配置しているので、それぞれの部品が浮き上がることを防止することができる。
【００３３】
さらに、化粧板１０９は、表枠２１に弾性係合しているので、洗濯機本体を製造する際に、蓋の美観を向上した製品には化粧板１０９を配置し、製造原価を抑えた製品には化粧板１０９を配置しないということが容易にできるとともに、蓋カバー１０９周囲の表面９ｂにより化粧板１０９を配置しない製品でも、第２の係止孔１０８ｂを外観しない構成を容易にとることができ、使用者の幅広い価値観に合わせた製品を、容易に提供できる。
【産業上の利用可能性】
【００３４】
回転ドラムを水平方向または傾斜して設置したドラム式洗濯機での開閉蓋において、蓋カバーによる広い透明域を確保した上で、その裏面側での蓋本体側との弾性係合にて係止する係止部が外部から透視されないようにできる。
【図面の簡単な説明】
【００３５】
【図１】本発明の実施の形態に係るドラム式洗濯機の要部構成を示す斜視図
【図２】同ドラム式洗濯機の断面図
【図３】同ドラム式洗濯機の出し入れ口とそれを閉じた状態の開閉蓋とを示す一部断面図
【図４】同ドラム式洗濯機の水槽における蓋体の蓋カバーと表枠との関係を示す斜視図
【図５】同ドラム式洗濯機の表枠を拡大して見た斜視図
【図６】同ドラム式洗濯機の出し入れ口とそれを閉じた状態の開閉蓋とを示す一部断面図
【図７】同ドラム式洗濯機の蓋カバーと化粧板を拡大して見た斜視図
【符号の説明】
【００３６】
１  洗濯機本体
２  回転ドラム
３  水槽
４  洗濯機筐体
５  開閉蓋
６  モータ
７  窓
８  蓋本体
８ａ  第１の係止部
８ｂ  第１の係止孔
８ｃ  段部
８ｄ  凸リブ
８ｅ  張りだし部
８ｆ  溝部
９  蓋カバー
９ａ  第１の係合片
９ｂ  表面
９ｃ  回り込み壁
９ｄ  端面
９ｅ  第１の係合孔
１１  固定部
２０  蓋枠
２１  表枠
２２  裏枠
２３  窓板
１０８ａ  第２の係止部
１０８ｂ  第２の係止孔
１０９ａ  第２の係合片
１０９ｅ  第２の係合孔
【図１】
2010063522.tif 000003
【図２】
2010063522.tif 000004
【図３】
2010063522.tif 000005
【図４】
2010063522.tif 000006
【図５】
2010063522.tif 000007
【図６】
2010063522.tif 000008
【図７】
2010063522.tif 000009